(57)【特許請求の範囲】
【請求項１】
ユーザインターフェース（６）を有するセルフサービス取引端末において、
前記ユーザインターフェースの一部分（１８）の表面に生地を使用し、前記部分（１８）の表面の異なる生地が、ガイド手段を構成して、ユーザをインターフェース（６）の機能要素（８）にガイドする
ことを特徴とするセルフサービス取引端末。
【発明の詳細な説明】
【０００１】
【発明の属する技術分野】
本発明はセルフサービス取引端末及びその現金自動預払機（ＡＴＭ）への応用に関する。
【０００２】
【従来の技術】
周知の一般的なＡＴＭは、１）制御手段、２）ユーザが制御手段と通信するのに使用するユーザインターフェース、３）制御手段のもとで制御され、ユーザに現金を支払い出す現金取り出し口、４）制御手段のもとで制御され、ユーザの取引種別またはユーザの口座の残高などの書類を印刷するプリンタ、を含んでいる。
【０００３】
周知のＡＴＭのユーザインターフェースは、１）ユーザの識別カードを受け、カードの読み取り機に繋がっているカード挿入スロット、２）ユーザに情報を示したり、要求したりする表示ディスプレイのスクリーン、３）情報を入力するためのキーパッド、４）ユーザに現金を支払い、現金取り出しユニットに接続する現金取り出しスロット、５）ユーザに印刷された書類を送出し、プリンタに接続するプリンタ出力スロット、を含んでいる。ディスプレイのスクリーンとキーパッドとカード挿入スロットと現金取り出し口とプリンタ出力スロットはＡＴＭの表面に実装されている。しかし、これらのレイアウトについては、異なるＡＴＭの間には統一の規定がないのが実状である。
【０００４】
ユーザインターフェースの複雑さにより、ユーザは、例えばカード挿入スロットのような特定の要素の位置を見つけることが困難となる。これにより、ＡＴＭに対する操作の時間が増加するだけではなく、ユーザを困惑させる。周知のように、このような問題を軽減させるために、ＡＴＭには可視的手段を用いて、例えば、インターフェースの要素を点灯する試みが行われた。しかし、この方法は視覚障害者及び盲目のユーザにとってほとんど役に立たない。
【０００５】
【発明が解決しようとする課題】
従って、本発明の目的は、前記問題を軽減でき、視覚障害者または全盲のユーザにも利用可能なセルフサービス取引端末を提供することである。
【０００６】
【課題を解決するための手段】
前記課題を解決するために、本発明のセルフサービス取引端末は、そのユーザインターフェースの表面部分に様々な表面成分の生地を用いて、インターフェースの要素を表示するガイド手段を構成する。
【０００７】
【発明の実施の形態】
図１〜３は本発明のＡＴＭ２を示す。このＡＴＭ２は、中心処理ユニット（ＣＰＵ）４による制御手段を含み、ＣＰＵ４には制御プログラムが記憶され、それによりＡＴＭ２を制御する。
【０００８】
ＡＴＭ２には、ユーザのカードを受けるための、従来のカード読み取り機９に接続されたカード挿入スロット８と、データ入力用のキーパッド１０と、ユーザに情報を表示する可視ディスプレイ１２と、ユーザに紙幣を送出するための現金取り出しユニット１７の現金取り出しスロット１４と、ユーザに印刷された文書を送出するためのプリンタ出力スロット１６とからなるユーザインターフェース６が含まれる。ＣＰＵ４はカード読み取り機９と、キーバッド１０と、ディスプレイ１２と、現金取り出しユニット１７とに接続されている。ＣＰＵ４は、取引種別やレシートや口座の残高などの書類を印刷するための従来型のプリンタ１１にも接続されている。
【０００９】
キーパッド１０は、キー整列１３を含み、各キー１３はそれぞれのくぼみ（図示せず）に配置されており、視覚障害者または全盲のユーザもこの異なるキー１３を用いて、キーパッド１０を介してＡＴＭ２に情報を入力することができる。
【００１０】
特に図２に示すように、本発明のユーザインターフェース６の表面部分１８は特別の生地になっている。この部分１８はカード挿入スロット８を包囲している。異なる生地の部分１８はユーザをカード挿入スロット８にガイドするガイド手段を構成する。ここで、部分１８は、その外周部はでこぼこで、カード挿入スロットに近いほど平坦となる。部分１８の生地状態は部分１８の表面で小さな突起部１９を形成することにより作られ、生地の変化はカード挿入スロット８に近づくにつれて突起部１９の密度を増加させ、サイズを減少させることにより作られる。そのため、ユーザがインターフェース６の部分１８の表面に触れて、そして表面の粗さがスムーズになる方向に手を移動させれば、ユーザはカード挿入スロット８までガイドされる。
【００１１】
ユーザインターフェース６の他の要素、すなわち、キーパッド１０と、現金取り出しスロット１４及びプリンタ出力スロット１６はそれぞれ各自の生地部分（図示せず）を用いて、各要素にユーザをガイドするガイド手段を形成する。このようにして、視覚障害者または全盲のユーザは、通常インターフェース６の各要素のおおよその位置を知っているので、インターフェース６上の必要な要素の周辺の生地の張られている部分に手をたどってくると、その要素の正確な位置までガイドされる。
【００１２】
ユーザインターフェース６はオーディオ手段２０をも含み、これにより、手をユーザインターフェース６の１つの要素から別の要素に移動するときに、視覚障害者または全盲のユーザに指示を出す。例えば、ユーザは、カードをカード挿入スロット８に挿入して、カードがカード読み取り機９によって認識されると、ユーザは手をキーパッド１０に移動してＡＴＭ２に情報を入力しなければならない。カード読み取り機がユーザのカードを読みとった後、オーディオ手段はオーディオ信号を生成して、ユーザの手をキーパッド１０に移動させるよう指示する。もしユーザが現金の取り出しを要求すれば、ＣＰＵ４は現金取り出しユニット１７を指示して、現金取り出しスロット１４を介して、現金をユーザに送出する。これを行う前に、ＣＰＵ４は、現金がそろそろ送出される旨をユーザに知らせるようオーディオ手段２０に指示して、オーディオ信号を生成させる。さらに、オーディオ信号が印刷された書類またはユーザの識別カードが回収される前に生成されて、ユーザはそのような書類やカードが排出される前に、手をプリンタ出力スロット１６とカード挿入スロット８に移動する。
【００１３】
操作において、ＡＴＭ２は、ユーザがユーザ識別カードをカード挿入スロット８に挿入することによりアクセスされる。ユーザの手がユーザインターフェース６のでこぼこの表面部分にさわることにより、ユーザはカード挿入スロット８にガイドされる。ＡＴＭ２内のカード読み取り機９はカードを読み取って、カードから読み取った情報をＣＰＵ４に伝送する。この情報には、ＡＴＭ２に対するアクセスを行うために、ユーザにより入力される暗号化ＰＩＮ番号（個人識別番号）が含まれる。通常の操作において、この時点で、ユーザがこのカードの使用を認証されることを確認するために、ＣＰＵ４がディスプレイ１２にＰＩＮ番号の入力要求が表示される。視覚障害者または全盲のユーザは、ユーザ識別カードがカード挿入スロット８に挿入されてから、前述したオーディオ信号を聞いて、手をキーパッド１０の近辺領域に移動し、インターフェース６の表面の生地部分（図示せず）に触って、生地部分を利用して精確にキーパッド１０へと手を移動していく。そして、ＰＩＮ番号を含んだ情報がＡＴＭ２により要求されることがかわる。そして、ユーザはＡＴＭ２に必要な情報を入力して、所望の取引を行う。
【００１４】
ユーザが情報をＡＴＭ２に入力すると、例えば、現金取り出しスロット１４から現金を取り出したり、プリンタ出力スロット１６からレシートを受け取ったり、カード挿入スロット８からユーザ識別カードを取り出したりする必要がある。ユーザは前述したように、ユーザインターフェース６のこれらの要素の近辺にあるインターフェース６の表面の生地部分を利用して、現金取り出しスロット１４、プリンタ出力スロット１６及びカード挿入スロット８に手を移動していく。同様に、前述したように、ユーザはユーザインターフェースから出されたオーディオ信号を聞いて、インターフェース６の要素からインターフェースの次の要素に移動することを指示される。
【００１５】
【発明の効果】
以上述べたように、本発明のＡＴＭユーザインターフェースは、特に目の不自由なユーザに簡単に利用される。
【図面の簡単な説明】
【図１】本発明によるＡＴＭを表す斜視図。
【図２】図１のＡＴＭのユーザインターフェースの表面部分を表す図。
【図３】図１のＡＴＭの回路を表すブロック図。
【符号の説明】
２  ＡＴＭ
４  ＣＰＵ
６  ユーザインターフェース
８  カード挿入スロット
９  カード読み取り機
１０  キーパッド
１１  プリンタ
１２  ディスプレイ
１４  現金取り出しスロット
１６  プリンタ出力スロット
１７  現金取り出しユニット
１８  生地部分
１９  突起部
２０  オーディオ手段
【図１】
0003718270.tif 000002
【図２】
0003718270.tif 000003
【図３】
0003718270.tif 000004